Podtech/llm-jp-corpus-v4-ja_patent huggingface dataset:
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
治療的有効量の２−メチレン−１９−ノル−（２０Ｓ）−１α，２５−ジヒドロキシビタミンＤ３またはその薬学的に許容される塩を含む、対象において原発性副甲状腺機能亢進症または原発性副甲状腺機能亢進症の症状を処置するための薬学的組成物。
【請求項２】
原発性副甲状腺機能亢進症またはその症状が、対象において高カルシウム血症を誘発することなく処置される、請求項１記載の薬学的組成物。
【請求項３】
治療的有効量が約０．５ｎｇ／ｋｇから約２０ｎｇ／ｋｇの範囲である、請求項１記載の薬学的組成物。
【請求項４】
治療的有効量が約１．０ｎｇ／ｋｇから約１０ｎｇ／ｋｇの範囲である、請求項１記載の薬学的組成物。
【請求項５】
治療的有効量が対象に毎日投与されるように用いられる、請求項１記載の薬学的組成物。
【請求項６】
治療的有効量が対象に週に３回投与されるように用いられる、請求項１記載の薬学的組成物。
【請求項７】
処置前に、対象が、約５５ｐｇ／ｍｌを上回る血清副甲状腺ホルモン（ＰＴＨ）レベルを有する、請求項１記載の薬学的組成物。
【請求項８】
処置後に、対象が、５５ｐｇ／ｍｌを超えない血清副甲状腺ホルモン（ＰＴＨ）レベルを有する、請求項１記載の薬学的組成物。
【請求項９】
経口、局所、経皮、非経口、注射、または注入用の投薬形態に製剤化されている、請求項１記載の薬学的組成物。
【請求項１０】
治療的有効量の２−メチレン−１９−ノル−（２０Ｓ）−１α，２５−ジヒドロキシビタミンＤ３またはその薬学的に許容される塩を含む、原発性副甲状腺機能亢進症を有しかつ原発性副甲状腺機能亢進症の症状を発症するリスクがある対象において原発性副甲状腺機能亢進症の症状を予防するための薬学的組成物。
【請求項１１】
原発性副甲状腺機能亢進症の症状が、対象における高カルシウム血症を誘発することなく予防される、請求項１０記載の薬学的組成物。
【請求項１２】
治療的有効量が約０．５ｎｇ／ｋｇから約２０ｎｇ／ｋｇの範囲である、請求項１０記載の薬学的組成物。
【請求項１３】
治療的有効量が約１．０ｎｇ／ｋｇから約１０ｎｇ／ｋｇの範囲である、請求項１０記載の薬学的組成物。
【請求項１４】
治療的有効量が対象に毎日投与されるように用いられる、請求項１０記載の薬学的組成物。
【請求項１５】
治療的有効量が対象に週に３回投与されるように用いられる、請求項１０記載の薬学的組成物。
【請求項１６】
症状が血清副甲状腺ホルモン（ＰＴＨ）レベルの上昇であり、薬学的組成物が、血清ＰＴＨレベルが約５５ｐｇ／ｍｌを上回って上昇するのを妨げる、請求項１０記載の薬学的組成物。
【請求項１７】
経口、局所、経皮、非経口、注射、または注入用の投薬形態に製剤化されている、請求項１０記載の薬学的組成物。
【手続補正２】
【補正対象書類名】明細書
【補正対象項目名】００２０
【補正方法】変更
【補正の内容】
【００２０】
開示した処置方法および予防方法に適した患者は、カルシウム模倣剤を以前に投与された患者を含む、原発性副甲状腺機能亢進症を有しかつ任意でその症状を呈するまたはその症状を発症するリスクがある患者を含みうる。例えば、開示の処置方法および予防方法に適した患者は、シナカルセトを以前に投与した患者を含みうる。
[本発明1001]
治療的有効量の2-メチレン-19-ノル-(20S)-1α,25-ジヒドロキシビタミンD3またはその薬学的に許容される塩を対象に投与する段階であって、原発性副甲状腺機能亢進症または原発性副甲状腺機能亢進症の症状が処置される、段階を含む、その必要がある対象において原発性副甲状腺機能亢進症または原発性副甲状腺機能亢進症の症状を処置する方法。
[本発明1002]
原発性副甲状腺機能亢進症またはその症状が、対象において高カルシウム血症を誘発することなく処置される、本発明1001の方法。
[本発明1003]
治療的有効量が約0.5 ng/kgから約20 ng/kgの範囲である、本発明1001の方法。
[本発明1004]
治療的有効量が約1.0 ng/kgから約10 ng/kgの範囲である、本発明1001の方法。
[本発明1005]
対象に治療的有効量を毎日投与する、本発明1001の方法。
[本発明1006]
対象に治療的有効量を週に3回投与する、本発明1001の方法。
[本発明1007]
処置前に、対象が、約55 pg/mlを上回る血清副甲状腺ホルモン(PTH)レベルを有する、本発明1001の方法。
[本発明1008]
処置後に、対象が、55 pg/mlを超えない血清副甲状腺ホルモン(PTH)レベルを有する、本発明1001の方法。
[本発明1009]
2-メチレン-19-ノル-(20S)-1α,25-ジヒドロキシビタミンD3が、経口、局所、経皮、非経口、注射、または注入用の投薬形態で製剤化されている、本発明1001の方法。
[本発明1010]
治療的有効量の2-メチレン-19-ノル-(20S)-1α,25-ジヒドロキシビタミンD3またはその薬学的に許容される塩を対象に投与する段階であって、原発性副甲状腺機能亢進症の症状が予防される、段階を含む、原発性副甲状腺機能亢進症を有しかつ原発性副甲状腺機能亢進症の症状を発症するリスクがある対象において原発性副甲状腺機能亢進症の症状を予防するための方法。
[本発明1011]
原発性副甲状腺機能亢進症の症状が、対象における高カルシウム血症を誘発することなく予防される、本発明1009の方法。
[本発明1012]
治療的有効量が約0.5 ng/kgから約20 ng/kgの範囲である、本発明1001の方法。
[本発明1013]
治療的有効量が約1.0 ng/kgから約10 ng/kgの範囲である、本発明1001の方法。
[本発明1014]
対象に治療的有効量を毎日投与する、本発明1001の方法。
[本発明1015]
対象に治療的有効量を週に3回投与する、本発明1001の方法。
[本発明1016]
症状が血清副甲状腺ホルモン(PTH)レベルの上昇であり、方法が、血清PTHレベルが約55 pg/mlを上回って上昇するのを妨げる、本発明1001の方法。
[本発明1017]
2-メチレン-19-ノル-(20S)-1α,25-ジヒドロキシビタミンD3が、経口、局所、経皮、非経口、注射、または注入用の投薬形態で製剤化されている、本発明1009の方法。
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
治療的有効量の２−メチレン−１９−ノル−（２０Ｓ）−１α，２５−ジヒドロキシビタミンＤ３またはその薬学的に許容される塩を含む、続発性副甲状腺機能亢進症を処置するためにカルシウム模倣剤を以前に投与されていた対象における、続発性副甲状腺機能亢進症または続発性副甲状腺機能亢進症の症状を処置するための薬学的組成物。
【請求項２】
対象において高カルシウム血症を誘発することなく続発性副甲状腺機能亢進症が予防される、請求項１記載の薬学的組成物。
【請求項３】
治療的有効量が約０．５ｎｇ／ｋｇから約２０ｎｇ／ｋｇの範囲である、請求項１記載の薬学的組成物。
【請求項４】
治療的有効量が約１．０ｎｇ／ｋｇから約１０ｎｇ／ｋｇの範囲である、請求項１記載の薬学的組成物。
【請求項５】
治療的有効量が対象に毎日投与されるように用いられる、請求項１記載の薬学的組成物。
【請求項６】
治療的有効量が対象に週に３回投与されるように用いられる、請求項１記載の薬学的組成物。
【請求項７】
経口、局所、経皮、非経口、注射、または注入用の投薬形態に製剤化されている、請求項１記載の薬学的組成物。
【請求項８】
対象が慢性腎臓病ステージ５（ＣＫＤ−５Ｄ）を有し、かつ血液透析処置を受けている、請求項１記載の薬学的組成物。
【請求項９】
続発性副甲状腺機能亢進症の症状が、血清ＰＴＨの上昇、血清リンの上昇、および血清クレアチニンの上昇からなる群より選択される、請求項１記載の薬学的組成物。
【請求項１０】
治療的有効量の２−メチレン−１９−ノル−（２０Ｓ）−１α，２５−ジヒドロキシビタミンＤ３を対象に投与した後に、対象がいかなるカルシウム模倣剤も投与されない、請求項１記載の薬学的組成物。
【請求項１１】
治療的有効量のカルシウム模倣剤と組み合わせて対象に投与されるように用いられる、請求項１記載の薬学的組成物。
【請求項１２】
治療的有効量のカルシウム模倣剤が、治療的有効量の２−メチレン−１９−ノル−（２０Ｓ）−１α，２５−ジヒドロキシビタミンＤ３と同時に投与されるように用いられる、請求項１記載の薬学的組成物。
【手続補正２】
【補正対象書類名】明細書
【補正対象項目名】００２３
【補正方法】変更
【補正の内容】
【００２３】
記載した処置方法および予防方法に適した患者は、カルシウム模倣剤を以前に投与された患者を含む、続発性副甲状腺機能亢進症またはその症状を有する、またはそれらを発症するリスクがある患者を含みうる。例えば、開示の処置方法および予防方法に適した患者は、シナカルセトを以前に投与された患者を含みうる。
[本発明1001]
続発性副甲状腺機能亢進症を処置するためにカルシウム模倣剤を以前に投与されていた対象に、治療的有効量の2-メチレン-19-ノル-(20S)-1α,25-ジヒドロキシビタミンD3またはその薬学的に許容される塩を投与する段階であって、続発性副甲状腺機能亢進症またはその症状が処置される、段階を含む、その必要がある対象において続発性副甲状腺機能亢進症または続発性副甲状腺機能亢進症の症状を処置する方法。
[本発明1002]
対象において高カルシウム血症を誘発することなく続発性副甲状腺機能亢進症が予防される、本発明1001の方法。
[本発明1003]
治療的有効量が約0.5 ng/kgから約20 ng/kgの範囲である、本発明1001の方法。
[本発明1004]
治療的有効量が約1.0 ng/kgから約10 ng/kgの範囲である、本発明1001の方法。
[本発明1005]
対象に治療的有効量を毎日投与する、本発明1001の方法。
[本発明1006]
対象に治療的有効量を週に3回投与する、本発明1001の方法。
[本発明1007]
2-メチレン-19-ノル-(20S)-1α,25-ジヒドロキシビタミンD3が、経口、局所、経皮、非経口、注射、または注入用の投薬形態で製剤化されている、本発明1001の方法。
[本発明1008]
対象が慢性腎臓病ステージ5(CKD-5D)を有し、かつ血液透析処置を受けている、本発明1001の方法。
[本発明1009]
続発性副甲状腺機能亢進症の症状が、血清PTHの上昇、血清リンの上昇、および血清クレアチニンの上昇からなる群より選択される、本発明1001の方法。
[本発明1010]
治療的有効量の2-メチレン-19-ノル-(20S)-1α,25-ジヒドロキシビタミンD3を対象に投与した後に、対象がいかなるカルシウム模倣剤も投与されない、本発明1001の方法。
[本発明1011]
治療的有効量のカルシウム模倣剤を対象に投与する段階をさらに含む、本発明1001の方法。
[本発明1012]
治療的有効量のカルシウム模倣剤が、治療的有効量の2-メチレン-19-ノル-(20S)-1α,25-ジヒドロキシビタミンD3と同時に投与される、本発明1001の方法。
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
熱可塑性物質で形成されるパリソン（４）を収容するための少なくとも一のハウジング・キャビティ（７）を形成するよう互いに向かって移動可能である二つの半切の型（６ａ，６ｂ）が、それぞれに配置される複数の成形ステーション（５）を有する無菌延伸吹き付け成形ユニット（３）を備える、無菌容器（２）を生産するための装置（１）において、
熱可塑性物質の果粒からパリソン（４）を型成形するための型成形ユニット（１３）であって、前記型成形ユニット（１３）が前記成形ユニット（３）の上流側に配置されている型成形ユニット（１３）と、
前記パリソン（４）を把持するための複数の手段（１４，１５）であって、前記ユニット（３，１３）の内側で前記パリソンを取り扱い、前記型成形ユニット（１３）から前記成形ユニット（３）に前記パリソンを移送する手段と、
を備えており、
前記把持手段（１４，１５）は、前記パリソンの内部の汚染を回避するために前記パリソン（４）の外側にのみ機能的に作用し、
前記装置（１）はさらに、対応するハウジング・キャビティ（７）に到達した前記パリソン（４）を殺菌するよう前記成形ステーション（５）のうちの一つに、それぞれが配置される複数の殺菌装置（１２）を備える装置。
【請求項２】
請求項１に記載の装置（１）において、前記把持手段は、前記パリソン（４）の首部（４ｂ）を横方向から掴むことができるプライヤ（１４）から構成されている装置。
【請求項３】
請求項１に記載の装置（１）において、前記把持手段は、前記パリソン（４）の首部（４ｂ）を上から掴むことができる上からの把持ヘッド（１５）から構成されている装置。
【請求項４】
請求項１から３のいずれかに記載の装置（１）において、前記パリソン（４）の前記型成形ユニット（１３）は、射出プレスまたは圧縮プレスまたは射出・圧縮プレスである装置。
【請求項５】
請求項１に記載の装置（１）において、それぞれの殺菌装置（１２）は、前記対応するハウジング・キャビティ（７）に機能的に作用可能なプラズマ発生器（１９）を備える装置。
【請求項６】
請求項１から５のいずれかに記載の装置（１）において、さらに、前記型成形ユニット（１３）と前記成形ユニット（３）との間に配置される温度調節ユニット（２３）を備えており、前記温度調節ユニット（２３）から移出される前記パリソン（４）は延伸吹き付けによる成形を可能にするのに適した所定の温度分布特性を有する装置。
【請求項７】
請求項６に記載の装置（１）において、前記把持手段（１４，１５）のうちのいくつかは、前記温度調節ユニット（２３）で前記パリソン（４）を取り扱い、前記把持手段（１４，１５）のうちのいくつかは、前記パリソン（４）を前記温度調節ユニット（２３）から移送するまたは取り出す装置。
【請求項８】
請求項６または７に記載の装置（１）において、前記型成形ユニット（１３）および前記温度調節ユニット（２３）は、ウルトラクリーン環境（２４）に配置される、つまり、外部環境からの細菌汚染の侵入を制限するための物理的分離を用いて前記外部環境から隔離された空間に配置される装置。
【請求項９】
容器詰めプラント（１００）であって、
先行の請求項のいずれかに記載の無菌容器（２）の生産装置（１）と、
複数の充填ステーション（３５）と、それと同数の、それぞれが前記充填ステーション（３５）のうちの一つに配置される充填ノズル（３６）と、を備える成形された容器（２）を充填する装置（３０）と、
複数の封止ステーション（４５）と、それと同数の、それぞれが前記封止ステーション（４５）のうちの一つに配置される封止ヘッド（４６）と、を備える充填された容器（２）を封止する装置（４０）と、
を備えるプラント。
【請求項１０】
請求項９に記載の容器詰めプラント（１００）において、前記充填装置（３０）は、前記充填ノズル（３６）から前記充填ステーション（３５）における前記容器（４）の首部（４ｂ）によって規定される位置へと延設される空間を有している第一細菌汚染管理環境（３８）を形成するよう構成される第一分離器（３７）を備えるプラント。
【請求項１１】
請求項９または１０に記載の容器詰めプラント（１００）において、前記封止装置（４０）は、前記封止ヘッド（４６）から前記封止ステーション（４５）における前記容器（２）の前記首部（４ｂ）によって規定される位置へと延設される空間を有している第二細菌汚染管理環境（４８）を形成するよう構成される第二分離器（４７）を備えるプラント。
【請求項１２】
請求項９または１０に記載の容器詰めプラント（１００）において、
前記封止装置（４０）は、
凹状封止部品（５０）をそれぞれの容器（２）に位置付けし押圧するよう構成された封止部品（５０）を取り付けるユニット（１４０）と、
それぞれの凹状封止部品（５０）を対応する容器（２）の首部（４ｂ）にねじ込むよう構成される前記封止部品（５０）を締め付けるための締め付けユニット（１４１）と、
を備えており、
前記封止部品（５０）を取り付けるための前記取り付けユニット（１４０）は、前記容器（２）の前記首部（４ｂ）の周囲の狭い区域まで延設される空間を有する第三細菌汚染管理環境（１４８）を形成するよう構成される第三分離器（１４７）を備えるプラント。
【請求項１３】
請求項１２に記載の容器詰めプラント（１００）において、前記締め付けユニット（１４１）は非無菌蓋締め器であるプラント。
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
（ａ）少なくとも１つの熱可塑性フィルムから構成される上部層と、
（ｂ）第１の結合層と、
（ｃ）芳香族ポリアミド繊維と界面活性剤とを含む布地から構成される布地層と、
（ｄ）第２の結合層と、
（ｅ）少なくとも１つの熱可塑性フィルムから構成される下部層と
を順に含む熱可塑性複合材料積層体であって、
前記布地層は、第１の表面及び第２の表面を有し、
前記第１の結合層は、前記上部層、及び前記布地層の前記第１の表面に結合され、且つ前記第２の結合層は、前記布地層の前記第２の表面、及び前記下部層に結合され、
前記上部又は下部層の前記熱可塑性フィルムは、ポリアミド、ポリカーボネート、又はそれらの混合物を含むか、又はそれから作製され、
前記第１の結合層及び前記第２の結合層はそれぞれ独立して、エチレン−ビニルアセテートコポリマー、化学修飾エチレン−ビニルアセテートコポリマー、エチレン−メタクリレートコポリマー、化学修飾エチレン−メタクリレートコポリマー、エチレン−アクリル酸コポリマー、化学修飾エチレン−アクリル酸コポリマー、又はそれらの混合物を含み、  前記芳香族ポリアミド繊維は、ポリ（ｐ−フェニレンテレフタルアミド）ホモポリマー、ポリ（ｐ−フェニレンテレフタルアミド）コポリマー、ポリ（ｍ−フェニレンイソフタルアミド）ホモポリマー、ポリ（ｍ−フェニレンイソフタルアミド）コポリマー、ポリスルホンアミドホモポリマー、ポリスルホンアミドコポリマー、又はそれらの混合物から作製され、
前記界面活性剤は、シラン、エポキシド、又はイソシアネートであり、且つ
前記熱可塑性複合材料積層体は、前記布地層の未処理の布地を有し、且つ前記第１の結合層及び前記第２の結合層が欠如している比較の積層体のものと比較して、平均結合強度において２５％以上の増加を有する、熱可塑性複合材料積層体。
【請求項２】
請求項１に記載の熱可塑性複合材料積層体を含む物品であって、携帯電子機器のためのハウジング又は保護カバーである、物品。
【手続補正２】
【補正対象書類名】明細書
【補正対象項目名】０１４９
【補正方法】変更
【補正の内容】
【０１４９】
典型的な実施形態において本発明を例示及び説明してきたが、本発明の趣旨から逸脱することなく様々な修正形態及び置換形態が可能であることから、本発明は以上の詳細に限定されない。即ち、本明細書に開示した本発明の修正形態及び均等物が日常の実験以上のものを要することなく当業者には明かであり、すべてのかかる修正形態及び均等物は以下の特許請求の範囲に記載の本発明の趣旨及び範囲に属すると考えられる。
本発明のまた別の態様は、以下のとおりであってもよい。
〔１〕（ａ）少なくとも１つの熱可塑性フィルムから構成される上部層と、
（ｂ）第１の結合層と、
（ｃ）芳香族ポリアミド繊維と界面活性剤とを含む布地から構成される布地層と、
（ｄ）第２の結合層と、
（ｅ）少なくとも１つの熱可塑性フィルムから構成される下部層と
を順に含む熱可塑性複合材料積層体であって、
前記布地層は、第１の表面及び第２の表面を有し、
前記第１の結合層は、前記上部層、及び前記布地層の前記第１の表面に結合され、且つ前記第２の結合層は、前記布地層の前記第２の表面、及び前記下部層に結合され、
前記上部又は下部層の前記熱可塑性フィルムは、ポリアミド、ポリカーボネート、又はそれらの混合物を含むか、又はそれから作製され、
前記第１の結合層及び前記第２の結合層はそれぞれ独立して、エチレン−ビニルアセテートコポリマー、化学修飾エチレン−ビニルアセテートコポリマー、エチレン−メタクリレートコポリマー、化学修飾エチレン−メタクリレートコポリマー、エチレン−アクリル酸コポリマー、化学修飾エチレン−アクリル酸コポリマー、又はそれらの混合物を含み、  前記芳香族ポリアミド繊維は、ポリ（ｐ−フェニレンテレフタルアミド）ホモポリマー、ポリ（ｐ−フェニレンテレフタルアミド）コポリマー、ポリ（ｍ−フェニレンイソフタルアミド）ホモポリマー、ポリ（ｍ−フェニレンイソフタルアミド）コポリマー、ポリスルホンアミドホモポリマー、ポリスルホンアミドコポリマー、又はそれらの混合物から作製され、
前記界面活性剤は、シラン、エポキシド、又はイソシアネートであり、且つ
前記熱可塑性複合材料積層体は、前記布地層の未処理の布地を有し、且つ前記第１の結合層及び前記第２の結合層が欠如している比較の積層体のものと比較して、平均結合強度において２５％以上の増加を有する、熱可塑性複合材料積層体。
〔２〕前記熱可塑性フィルムは、ポリアミドを含む、前記〔１〕に記載の熱可塑性複合材料積層体。
〔３〕前記熱可塑性複合材料積層体の総厚さは、約０．１ｍｍ〜約５ｍｍである、前記〔１〕に記載の熱可塑性複合材料積層体。
〔４〕前記界面活性剤は、γ−メタクリロキシプロピルトリメトキシシラン、γ−グリシドキシプロピルトリメトキシシラン、β−（３，４−エポキシシクロヘキシル）エチルトリメトキシシラン、γ−メルカプトプロピルトリメトキシシラン、Ｎ−β−（アミノエチル）−γ−アミノプロピルトリメトキシシラン、γ−アミノプロピルトリメトキシシラン、γ−イソシアナトプロピルトリメトキシシラン、フェノールグリシジルエーテル、芳香族グリシジルエーテル、グリセロールポリグリシジルエーテル、グリシジルアミン、脂環式エポキシド、ヘキサメチレンジイソシアネート、イソホロンジイソシアネート、２，４−トルエンジイソシアネート、２，６−トルエンジイソシアネート、及び４，４’−メチレンジフェニルジイソシアネートからなる群から選択される、前記〔１〕に記載の熱可塑性複合材料積層体。
〔５〕前記布地層の前記布地は、ｉ）未処理の布地に対して被覆組成物を塗布して湿潤布地を得る工程と、ｉｉ）周囲温度から約２２０℃までの範囲の温度で、約１分〜約６０分間にわたり前記湿潤布地を乾燥させる工程とを含む方法によって作製され、前記界面活性剤の量は、前記被覆組成物の総重量に基づいて、約１重量％〜約２０重量％である、前記〔１〕に記載の熱可塑性複合材料積層体。
〔６〕前記未処理の布地に対して前記被覆組成物を塗布する方法は、浸漬、含浸、及び吹付けを含む、前記〔５〕に記載の熱可塑性複合材料積層体。
〔７〕前記未処理の布地の目付は、約２０ｇ／ｍ2〜約６６０ｇ／ｍ2である、前記〔５〕に記載の熱可塑性複合材料積層体。
〔８〕前記布地層の前記布地は、前記布地の総重量に基づいて、約０．５重量％〜約１５重量％の量の界面活性剤を含む、前記〔１〕に記載の熱可塑性複合材料積層体。
〔９〕ホットプレス、熱圧縮成形、オートクレーブ成形、及びダブルベルトホットメルトプレスから選択される方法によって製造される、前記〔１〕に記載の熱可塑性複合材料積層体。
〔１０〕前記〔１〕に記載の熱可塑性複合材料積層体を含む物品であって、携帯電子機器のためのハウジング又は保護カバーである、物品。
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
基材と該基材の外面を覆うフィルタ層とを含むガス浄化装置で使用するためのフィルタエレメントであって、該基材はガスからガス汚染物質を除去するのに有効な化学物質を含むための素材を備え、該フィルタ層の該素材はガスからガス汚染物質を除去するのに有効な液状溶液吸着剤を吸着するために親水性であり、該フィルタ層で覆われている該基材の該外面は疎水性である、フィルタエレメント。
【請求項２】
前記基材は複数のチャネルを含み、該フィルタ層は該チャネル内の該基材の前記外面の少なくとも一部を覆う、請求項1に記載のフィルタエレメント。
【請求項３】
前記基材は、六角形の輪郭を有する前記チャネルの少なくとも一部によってハニカム形状を有する、請求項2に記載のフィルタエレメント。
【請求項４】
前記チャネルは、非直線チャネル、すなわち単一の長手方向に延びる直線チャネルとは異なるチャネルである、請求項2に記載のフィルタエレメント。
【請求項５】
前記基材は、その外面のみが疎水性であるように親水性材料を含む、請求項1に記載のフィルタエレメント。
【請求項６】
前記基材が全て疎水性材料で作られている、請求項1に記載のフィルタエレメント。
【請求項７】
前記フィルタ層の前記素材が、トリス(ヒドロキシメチル)アミノメタンを有する、請求項1に記載のフィルタエレメント。
【請求項８】
前記フィルタ層が、親水性ポリマーを有する、請求項1に記載のフィルタエレメント。
【請求項９】
空気などのガスを浄化するための装置であって、請求項1乃至8のいずれか一項に記載のフィルタエレメントと、動作中に該フィルタエレメントの該フィルタ層に沿った前記ガスの流れを実現するための手段とを備える、装置。
【請求項１０】
前記フィルタエレメントの該フィルタ層の有効寿命に関する情報をユーザに示すための表示手段をさらに備える、請求項9に記載の装置。
【請求項１１】
前記フィルタエレメントが前記装置に取り外し可能に設けられている、請求項9に記載の装置。
【請求項１２】
前記フィルタエレメントの前記フィルタ層の少なくとも一部に液体を噴霧するための噴霧装置をさらに備える、請求項9に記載の装置。
【請求項１３】
液状化学物質を収容するためのタンクをさらに備え、前記噴霧装置が前記タンクに結合されている、請求項12に記載の装置。
【請求項１４】
前記噴霧装置を所定の頻度間隔で作動させるためのタイマーをさらに備える、請求項12に記載の装置。
【請求項１５】
前記ガス浄化プロセスの有効性をチェックし、該有効性が所定の基準値を下回っているように見える場合には前記噴霧装置を作動させるように構成された検出及び制御手段をさらに備える、請求項12に記載の装置。
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
患者の体の部分を動かすシステムであって、
長手軸と、近位端と、遠位端とを有する、ハウジングと、
近位端と、遠位端と、前記長手軸に沿って延びる第１のキャビティとを有し、前記ハウジングに対する入れ子式の移動のために構成される、第１の伸延ロッドと、
近位端と、遠位端とを有し、前記第１のキャビティ内からの入れ子式の移動のために構成される、第２の伸延ロッドと、
前記第１の伸延ロッド及び前記第２の伸延ロッドのうちの１つ又はそれよりも多くを動かすように構成される、駆動システムとを含む、
システム。
【請求項２】
前記駆動システムは、前記ハウジング内に少なくとも部分的に配置される駆動要素を含む、請求項１に記載のシステム。
【請求項３】
前記駆動要素は、遠隔制御可能である、請求項２に記載のシステム。
【請求項４】
前記駆動要素は、永久磁石、誘導結合モータ、超音波作動モータ、皮下液圧ポンプ、形状記憶駆動アクチュエータ、及び磁歪要素のうちの少なくとも１つを含む、請求項３に記載のシステム。
【請求項５】
前記駆動要素は、前記ハウジング内の回転のために構成される径方向に分極された永久磁石を含む、請求項３に記載のシステム。
【請求項６】
前記径方向に分極された永久磁石は、外部から加えられる回転する磁場の印加によって回転させられるように構成される、請求項５に記載のシステム。
【請求項７】
第１の外ネジ山を有し、前記駆動要素に回転的に連結される、第１の親ネジと、
第２の外ネジ山と、内ネジ山とを有する、第２の親ネジとを更に含み、
前記第１の親ネジの前記第１の外ネジ山は、前記第２の親ネジの前記内ネジ山と螺合させられ、前記第２の親ネジの前記第２の外ネジ山は、前記第１の伸延ロッドの内ネジ山付き部分と螺合させられる、
請求項２に記載のシステム。
【請求項８】
前記第１の親ネジの前記遠位端にあるストッパと、
前記第２の親ネジの前記近位端にあるストッパとを更に含み、
前記第１の親ネジの前記ストッパは、前記第２の親ネジの前記ストッパに当接するように構成される、
請求項７に記載のシステム。
【請求項９】
前記第１の伸延ロッド及び前記ハウジングは、前記長手軸についての互いに対する実質的に全ての軸方向回転を妨げるように、拘束される、請求項１に記載のシステム。
【請求項１０】
前記第２の伸延ロッド及び前記第１の伸延ロッドは、前記長手軸についての互いに対する実質的に全ての回転を妨げるように、拘束される、請求項１に記載のシステム。
【請求項１１】
前記第２の伸延ロッド及び前記ハウジングは、前記長手軸についての互いに対する実質的に全ての回転を妨げるように、拘束される、請求項１に記載のシステム。
【請求項１２】
前記第２の伸延ロッドは、前記第１の伸延ロッドが前記ハウジングから移動し始める前に、前記ハウジングから実質的に完全に移動させられるように構成される、請求項１に記載のシステム。
【請求項１３】
前記第２の伸延ロッドの前記近位端にある第１のストッパと、
前記第１の伸延ロッドの前記遠位端にある第２のストッパとを更に含み、
前記第２の伸延ロッドの前記第１のストッパは、前記第２の伸延ロッドが前記第１のキャビティ内から完全に移動させられるときに、前記第１の伸延ロッドの前記第２のストッパに当接するように構成される、
請求項１２に記載のシステム。
【請求項１４】
前記駆動システムは、前記ハウジングに対して前記第１の伸延ロッドを動かすように構成され、前記第１の伸延ロッドに対して前記第２の伸延ロッドを動かすように構成される、請求項１に記載のシステム。
【請求項１５】
前記ハウジングは、前記長手軸に沿って延びる第２のキャビティを有し、前記第１の伸延ロッドは、前記第２のキャビティ内からの入れ子式の移動のために構成される、請求項１に記載のシステム。
【請求項１６】
前記ハウジングは、前記患者の骨の第１の部分に連結されるように構成され、前記第２の伸延ロッドは、前記患者の前記骨の第２の部分に連結されるように構成される、請求項１５に記載のシステム。
【請求項１７】
前記第１の伸延ロッドは、前記ハウジングの外側で入れ子式に支持される、請求項１に記載のシステム。
【請求項１８】
前記ハウジング及び前記第２の伸延ロッドのうちの少なくとも１つは、前記患者の椎骨の部分に連結されるように構成される、請求項１７に記載のシステム。
【請求項１９】
前記ハウジングと前記第１の伸延ロッドとの間の動的なシールを更に含む、請求項１に記載のシステム。
【請求項２０】
前記第１の伸延ロッドと前記第２の伸延ロッドとの間の動的なシールを更に含む、請求項１に記載のシステム。
【手続補正書】
【提出日】平成30年11月2日(2018.11.2)
【手続補正１】
【補正対象書類名】特許請求の範囲
【補正対象項目名】請求項１９
【補正方法】変更
【補正の内容】
【請求項１９】
下記構造のセレニド脂質構造物であって、
【化１】
2018500144.tif 000001
ｍは整数の１、２、３または４であり、好ましくは整数の１、２または４であり、最も好ましくは整数の２であり、
ｎは整数の３、４または５であり、最も好ましくは整数の４であり、
ｐは整数の１、２または３であり、最も好ましくは整数の２であり、
ｑは整数の１、２または３であり、最も好ましくは整数の１であり、
Ｍは一価の置換基であり、好ましくは一価の置換基ＣＨ３またはＨであり、最も好ましくは一価の置換基Ｈであり、
Ｍ’は一価のカチオンまたは置換基であり、好ましくは一価のカチオンＨ＋、Ｋ＋またはＮａ＋であり、最も好ましくは一価のカチオンＨ＋であり、
Ｒ１およびＲ２は、独立して、脂肪族Ｃ１４−２０アシル、脂肪族Ｃ１４−２０アルケニルまたは脂肪族Ｃ１４−２０アルキル置換基であり、好ましくはミリスチル、パルミチル、ステアリル、アラキジル、パルミトレオイル、ペトロセレニル、オレオイル、エライジル、バクセニルおよびゴンドイルからなる群から選択される置換基であり、最も好ましくは脂肪族Ｃ１８アルケニル置換基のオレオイルである、セレニド脂質構造物。
【手続補正２】
【補正対象書類名】明細書
【補正対象項目名】００２２
【補正方法】変更
【補正の内容】
【００２２】
【化２】
2018500144.tif 000002
ｍは整数の１、２、３または４であり、好ましくは整数の１、２または４であり、最も好ましくは整数の２であり、
ｎは整数の３、４または５であり、最も好ましくは整数の４であり、
ｐは整数の１、２または３であり、最も好ましくは整数の２であり、
ｑは整数の１、２または３であり、最も好ましくは整数の１であり、
Ｍは一価の置換基であり、好ましくは一価の置換基ＣＨ３またはＨであり、最も好ましくは一価の置換基Ｈであり、
Ｍ’は一価のカチオンまたは置換基であり、好ましくは一価のカチオンＨ＋、Ｋ＋またはＮａ＋であり、最も好ましくは一価のカチオンＨ＋であり、
Ｒ１およびＲ２は、独立して、脂肪族Ｃ１４−２０アシル、脂肪族Ｃ１４−２０アルケニルまたは脂肪族Ｃ１４−２０アルキル置換基であり、好ましくはミリスチル、パルミチル、ステアリル、アラキジル、パルミトレオイル、ペトロセレニル（petroselenyl）、オレオイル、エライジル（elaidyl）、バクセニル（vaccenyl）およびゴンドイル（gondoyl）からなる群から選択される置換基であり、最も好ましくは脂肪族Ｃ１８アルケニル置換基オレオイルである。
【手続補正３】
【補正対象書類名】明細書
【補正対象項目名】００６１
【補正方法】変更
【補正の内容】
【００６１】
【化１１】
2018500144.tif 000003
【手続補正４】
【補正対象書類名】明細書
【補正対象項目名】００６２
【補正方法】変更
【補正の内容】
【００６２】
【化１２】
2018500144.tif 000004
Ｍａｌ−（ＣＨ２）２ＣＯ−ＣＭＧ（２）−Ａｄ−ＤＯＰＥおよびＨ−ＣＭＧ（２）−Ａｄ−ＤＯＰＥと称される構造物の調製
Ｈ−ＣＭＧ（２）−Ａｄ−ＤＯＰＥと称される構造物は、｛［２−（２−ｔｅｒｔ−ブトキシカルボニルアミノ−アセチルアミノ）−アセチル］−メトキシカルボニルメチル−アミノ｝−酢酸Ｎ−オキシスクシンイミドエステルＢｏｃ−Ｇｌｙ２（ＭＣＭＧｌｙ）Ｎｏｓから、ボヴィン（Bovin）らの２００８年の刊行物のスキームＩＩＩに従って調製した。Ｍａｌ−（ＣＨ２）２ＣＯ−ＣＭＧ（２）−Ａｄ−ＤＯＰＥと称される構造物は、ボヴィン（Bovin）らの２００８年の刊行物のスキームＩＶの第１工程に従って調製した。手短に述べると、Ｈ−ＣＭＧ（２）−Ａｄ−ＤＯＰＥと称される構造物を、５倍過剰量の、ｉ−ＰｒＯＨ−水中の３−マレイミドプロピオン酸オキシベンズトリアゾルエステルで処理した。セファデックス（Sephadex）ＬＨ−２０上におけるゲル透過クロマトグラフィー（ｉ−ＰｒＯＨ−水、１：２）後、マレイミド脂質構造物を４０％の収率で単離した。
【誤訳訂正書】
【提出日】平成30年10月11日(2018.10.11)
【誤訳訂正１】
【訂正対象書類名】明細書
【訂正対象項目名】００４０
【訂正方法】変更
【訂正の内容】
【００４０】
任意の実施形態では、吸収親水性接着剤３０は、ポリグリセロール−３、架橋ポリビニルピロリドン、及び／又はヒドロキシプロピルグアーを含んでもよい。好適な吸収親水性接着剤及びこの吸収親水性接着剤を作製する方法の非限定的な例は、全体が参照によって本明細書に組み込まれる国際公開第ＷＯ２００９／０９１６８２号に記載されている。吸収親水性接着剤は、例えば抗菌薬のビグアニド（例えば、グルコン酸クロルヘキシジン）などの抗菌剤を含む。
【誤訳訂正２】
【訂正対象書類名】特許請求の範囲
【訂正対象項目名】全文
【訂正方法】変更
【訂正の内容】
【特許請求の範囲】
【請求項１】
第１主面、第２主面、及びバッキング層辺縁部を有する水分透過性のバッキング層であって、
前記第２主面が、前記バッキング層辺縁部に近接配置された第１の疎水性接着剤を有する、バッキング層と、
前記バッキング層の前記第２主面の少なくとも一部に接着している吸収親水性接着剤であって、吸収親水性接着剤辺縁部を含む吸収親水性接着剤と、
前記吸収親水性接着剤中に配置された抗菌剤と、
前記吸収親水性接着剤に接着している第１側面、第２側面、及び多孔質層辺縁部を有する多孔質層と、
前記多孔質層の前記第２側面に接着している第２の疎水性接着剤とを含み、
前記吸収親水性接着剤辺縁部の１００％が前記バッキング層と重なり合い、
前記多孔質層辺縁部の１００％が前記吸収親水性接着剤と重なり合う、創傷被覆材。
【請求項２】
前記吸収親水性接着剤が４０％（ｗ／ｗ）未満の水を含む、請求項１に記載の創傷被覆材。
【請求項３】
前記吸収親水性接着剤が、等張食塩水に３７℃で２４時間接触したときに、前記吸収親水性接着剤の乾燥重量の１．５倍以上を吸収することができる、請求項１又は２のいずれかに記載の創傷被覆材。
【請求項４】
前記吸収親水性接着剤が、架橋ポリビニルピロリドン、ポリグリセロール−３、及び水を含む、請求項１〜３のいずれか一項に記載の創傷被覆材。
【手続補正書】
【提出日】平成30年10月15日(2018.10.15)
【手続補正１】
【補正対象書類名】明細書
【補正対象項目名】００１４
【補正方法】変更
【補正の内容】
【００１４】
この方法およびシステムは、例えば個人に配置される携帯型素子を用い、信号を発生させて、少なくとも１つの呼気サンプルを提供することを個人に催促することを、更に有することが可能である。追加的な変形として、この方法は、期間に対して呼気サンプルを提供するために、個人に繰り返し警告することを含むことが可能である。
【手続補正２】
【補正対象書類名】明細書
【補正対象項目名】０１３９
【補正方法】変更
【補正の内容】
【０１３９】
図１９に引き返せば、そこに示す通り、携帯型または個人のサンプリングユニット１９
００は、個人の電子装置１１０またはコンピュータ１１２と通信する。そこでは、個人の
電子装置１１０は、スマートフォン、通常の電話、携帯電話、または、個人のサンプリン
グユニット１９００からデータをもっぱら受け取るために設計されるその他の個人の送信
装置を非限定的に含んでいる。同様に、コンピュータ１１２は、パソコン、ローカルサー
バーまたは遠隔サーバーを含むことを目的とする。個人のサンプリングユニット１９００
からのデータ伝送１１４は、個人の電子装置１１０および／またはコンピュータ１１２の
双方または片方に生じることが可能である。更に、個人の電子装置１１０とコンピュータ
１１２との間の同期１１６は、オプションである。個人の電子装置１１０、コンピュータ
１１２および／または個人のサンプリングユニット１９００のいずれは、ここに記載され
るデータ分析のために、データを遠隔型サーバーに伝送することが可能である。代替的に
、データ分析は、完全にまたは部分的に、局所的装置（コンピュータまたは個人の電子装
置等）内で生じることが可能である。いずれにせよ、個人の電子装置１１０および／また
はコンピュータ１１２は、情報を個人、管理人、または図１９に示すその他の個人に提供
することが可能である。
【手続補正書】
【提出日】平成30年8月31日(2018.8.31)
【手続補正１】
【補正対象書類名】明細書
【補正対象項目名】００１９
【補正方法】変更
【補正の内容】
【００１９】
本発明は、そのいくつかの実施形態では、入力データストリームのセグメント化に関し、より詳細には、排他的ではないが、ベクトル処理を使用した入力データストリームのセグメント化に関する。
【手続補正２】
【補正対象書類名】明細書
【補正対象項目名】００２０
【補正方法】変更
【補正の内容】
【００２０】
本発明は、冗長な（重複した）データセグメントを除去することによって入力データストリームのデータの量を少なくするために、入力データストリームに適用される重複排除処理の一部としてベクトル処理を使用して入力データストリームをセグメント化するためのシステムおよび方法を提供する。入力データストリーム、例えばデータファイル、媒体ファイル、ストリーミングデータ等のデータの量を少なくするための重複排除処理は、入力データストリームを記憶し、および／または転送するために必要な記憶空間および／またはネットワーク帯域幅を低減するために実施される。セグメント化は、連続的なデータ項目、例えばバイト、ワード、ダブルワードおよび／または入力データストリームのピクセルのシーケンスを通じて漸進的にシフトされるローリングシーケンスを構成している複数の部分ローリングシーケンスを並行または同時に処理することによって実施される。部分ローリングシーケンスは、部分ローリングシーケンスの各々に対して部分ローリングハッシュ値を計算するために並行に処理される。複数の部分ローリングハッシュ値の各々は、１つまたは複数のベクトルプロセッサ、例えば単一命令複数データ（ＳＩＭＤ）プロセッサの複数の処理パイプラインのうちのそれぞれの１つの中で計算される。ローリングシーケンスは、シーケンスの連続的なデータ項目のサブセットを含むが、複数の部分ローリングシーケンスの各々は、ローリングシーケンスのサブセットの均等に間隔が隔てられたデータ項目を含む。シーケンスは、部分ローリングシーケンスの各々に対して計算される部分ローリングハッシュ値のうちの少なくともいくつかがそれぞれの１つまたは複数の部分セグメント化基準に適合する（満たす）場合、可変サイズセグメントとして指定され得る。処理は、セグメント化されたデータストリームを生成するために、入力データストリーム全体を通して、複数の後続するローリングシーケンスに対して繰り返され、各ローリングシーケンスは、その前のローリングシーケンスが終了する点で始まる。
【手続補正３】
【補正対象書類名】明細書
【補正対象項目名】００３３
【補正方法】変更
【補正の内容】
【００３３】
ベクトル処理を使用した同時セグメント化処理を説明する前に、ローリングシーケンスおよびローリングハッシュを使用したセグメント化処理が最初に説明される。
【手続補正４】
【補正対象書類名】明細書
【補正対象項目名】００３４
【補正方法】変更
【補正の内容】
【００３４】
ここで、入力データストリームをセグメント化するためのローリングハッシュ値を計算する例示的処理の概略図である図３Ａおよび図３Ｂを参照する。入力データストリーム１２０は、複数のデータ項目、例えばバイト、ワード、ダブルワード、ピクセル等を含む入力データストリーム１２０に対してシフトするローリングシーケンスを適用することによって処理される。ローリングシーケンスは、データストリーム１２０の開始で始まる入力データストリーム１２０に対してシフトされ、また、入力データストリーム１２０の終了に向かってシフトされる。ローリングシーケンスは、セグメントが識別され、かつ、指定されるまでシフトされる。セグメントが指定されると、後続するシーケンスがその前の指定済みセグメントの終了から始まり、かつ、それぞれのローリングシーケンスが入力データストリーム１２０の終了に向かってシフトされる。この処理は、セグメント化されたデータストリーム１３０を生成するために、入力データストリーム全体がセグメント化されるまで繰り返される。ローリングシーケンスに含まれるデータ項目の数は、１つまたは複数の態様、例えばセグメント化要件、データスループット、処理能力等に応じて変化し得る。例示的入力データストリーム１２０は、６４個のデータ項目を各々が含むローリングシーケンスにより処理されるが、説明したようにデータ項目の数は異なり得る。ハッシュ値ＨK  ３１２Ａは、データ項目ＳK  ３１０Ａ０からＳK-63  ３１０Ａ６３を含むローリングシーケンス３１０Ａに対して計算される。ローリングシーケンスは、次に、データ項目ＳK-63  ３１０Ａ６３が省略され、かつ、新しいデータ項目ＳK+1  ３１０Ｂ１が追加されるよう、左側へシフトされてローリングシーケンス３１０Ｂを画定する。新しいハッシュ値ＨK+1  ３１２Ｂは、データ項目ＳK+1  ３１０Ｂ１からＳK-62  ３１０Ａ６２を含むローリングシーケンス３１０Ｂに対して計算される。ローリングシーケンスは、以下で説明されるようにセグメントが検出されるまで、入力データストリーム１２０のシーケンスを通じてシフトされる。ハッシュ値ＨK  ３１２ＡおよびＨK+1  ３１２Ｂ、ならびに入力データストリーム１２０の後続するシーケンスに対して計算される後続するハッシュ値は、多くのローリングハッシュ関数、例えばＲａｂｉｎ−Ｋａｒｐローリングハッシュおよび／またはＢｕｚｈａｓｈのうちの１つを使用して計算され得る。
【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
成分として、
ＳｉＯ２ ５３−６４重量％
Ａｌ２Ｏ３ ＞１９重量％且つ＜２５重量％
ＲＥ２Ｏ３＝Ｙ２Ｏ３＋Ｌａ２Ｏ３＋Ｇｄ２Ｏ３０．０５−７重量％
Ｒ２Ｏ＝Ｌｉ２Ｏ＋Ｎａ２Ｏ＋Ｋ２Ｏ ≦１重量％
ＣａＯ＋ＭｇＯ＋ＳｒＯ １０−２４重量％
ＣａＯ １．５−１２重量％
ＴｉＯ２ ＜２重量％
Ｆｅ２Ｏ３ ＜１．５重量％であって、
重量比率の比Ｃ１＝ＲＥ２Ｏ３／Ｒ２Ｏの範囲は、０．５より大きいことを特徴とする高性能ガラス繊維組成物。
【請求項２】
Ｌｉ２Ｏの含有量は重量比率で０．０５−０．８５％であることを特徴とする請求項１に記載の高性能ガラス繊維組成物。
【請求項３】
Ｒ２Ｏ＝Ｌｉ２Ｏ＋Ｎａ２Ｏ＋Ｋ２Ｏの含有量は重量比率で０．９７％より小さいことを特徴とする請求項１に記載の高性能ガラス繊維組成物。
【請求項４】
重量比率の比Ｃ２＝Ａｌ２Ｏ３／ＭｇＯの範囲は、１．８より大きいことを特徴とする請求項１に記載の高性能ガラス繊維組成物。
【請求項５】
成分として、
ＳｉＯ２ ５３−６４重量％
Ａｌ２Ｏ３ ＞１９重量％且つ＜２５重量％
ＲＥ２Ｏ３＝Ｙ２Ｏ３＋Ｌａ２Ｏ３＋Ｇｄ２Ｏ３０．０５−７重量％
Ｒ２Ｏ＝Ｌｉ２Ｏ＋Ｎａ２Ｏ＋Ｋ２Ｏ ≦１重量％
Ｌｉ２Ｏ ０．０５−０．８５重量％
ＣａＯ＋ＭｇＯ＋ＳｒＯ １０−２４重量％
ＣａＯ １．５−１２重量％
ＴｉＯ２ ＜２重量％
Ｆｅ２Ｏ３ ＜１．５重量％を含み、
重量比率の比Ｃ１＝ＲＥ２Ｏ３／Ｒ２Ｏの範囲は、０．５より大きいことを特徴とする請求項１に記載の高性能ガラス繊維組成物。
【請求項６】
成分として、
ＳｉＯ２ ５３−６４重量％
Ａｌ２Ｏ３ ＞１９重量％且つ＜２５重量％
ＳｉＯ２＋Ａｌ２Ｏ３ ＜８２重量％
ＲＥ２Ｏ３＝Ｙ２Ｏ３＋Ｌａ２Ｏ３＋Ｇｄ２Ｏ３０．０５−７重量％
Ｒ２Ｏ＝Ｌｉ２Ｏ＋Ｎａ２Ｏ＋Ｋ２Ｏ ≦１重量％
Ｌｉ２Ｏ ０．０５−０．８５重量％
ＣａＯ＋ＭｇＯ＋ＳｒＯ １０−２４重量％
ＣａＯ １．５−１２重量％
ＴｉＯ２ ＜２重量％
Ｆｅ２Ｏ３ ＜１．５重量％を含み、
重量比率の比Ｃ１＝ＲＥ２Ｏ３／Ｒ２Ｏの範囲は、０．５より大きいことを特徴とする請求項１に記載の高性能ガラス繊維組成物。
【請求項７】
成分として、
ＳｉＯ２ ５３−６４重量％
Ａｌ２Ｏ３ ＞１９重量％且つ＜２５重量％
ＲＥ２Ｏ３＝Ｙ２Ｏ３＋Ｌａ２Ｏ３＋Ｇｄ２Ｏ３０．０５−７重量％
Ｒ２Ｏ＝Ｌｉ２Ｏ＋Ｎａ２Ｏ＋Ｋ２Ｏ ≦１重量％
Ｌｉ２Ｏ ０．０５−０．８５重量％
ＣａＯ＋ＭｇＯ＋ＳｒＯ １０−２４重量％
ＣａＯ １．５−１２重量％
ＴｉＯ２ ＜２重量％
Ｆｅ２Ｏ３ ＜１．５重量％を含み、
重量比率の比Ｃ１＝ＲＥ２Ｏ３／Ｒ２Ｏの範囲は、０．５より大きく、重量比率の比Ｃ２＝Ａｌ２Ｏ３／ＭｇＯの範囲は、１．８より大きいことを特徴とする請求項１に記載の高性能ガラス繊維組成物。
【請求項８】
ＳｒＯの含有量は重量比率で０．１−２％であることを特徴とする請求項１に記載の高性能ガラス繊維組成物。
【請求項９】
成分として、
ＳｉＯ２ ５３−６４重量％
Ａｌ２Ｏ３ ＞１９重量％且つ＜２５重量％
ＳｉＯ２＋Ａｌ２Ｏ３ ＜８２重量％
ＲＥ２Ｏ３＝Ｙ２Ｏ３＋Ｌａ２Ｏ３＋Ｇｄ２Ｏ３０．０５−７重量％
Ｙ２Ｏ３ ０．５−５重量％
Ｒ２Ｏ＝Ｌｉ２Ｏ＋Ｎａ２Ｏ＋Ｋ２Ｏ ＜０．９７重量％
Ｌｉ２Ｏ ０．０５−０．８５重量％
ＣａＯ＋ＭｇＯ＋ＳｒＯ １０−２４重量％
ＣａＯ １．５−１２重量％
ＴｉＯ２ ＜２重量％
Ｆｅ２Ｏ３ ＜１．５重量％を含み、
重量比率の比Ｃ１＝ＲＥ２Ｏ３／Ｒ２Ｏの範囲は、０．５より大きく、重量比率の比Ｃ２＝Ａｌ２Ｏ３／ＭｇＯの範囲は、１．８より大きいことを特徴とする請求項１に記載の高性能ガラス繊維組成物。
【請求項１０】
成分として、
ＳｉＯ２ ５３−６４重量％
Ａｌ２Ｏ３ ＞１９重量％且つ＜２５重量％
ＳｉＯ２＋Ａｌ２Ｏ３ ＜８０．４重量％
ＲＥ２Ｏ３＝Ｙ２Ｏ３＋Ｌａ２Ｏ３＋Ｇｄ２Ｏ３０．０５−７重量％
Ｒ２Ｏ＝Ｌｉ２Ｏ＋Ｎａ２Ｏ＋Ｋ２Ｏ ＜０．９７重量％
Ｌｉ２Ｏ ０．０５−０．８５重量％
ＣａＯ＋ＭｇＯ＋ＳｒＯ １０−２４重量％
ＣａＯ ５−１０重量％
ＴｉＯ２ ＜２重量％
Ｆｅ２Ｏ３ ＜１．５重量％を含み、
重量比率の比Ｃ１＝ＲＥ２Ｏ３／Ｒ２Ｏの範囲は、０．５より大きいことを特徴とする請求項１に記載の高性能ガラス繊維組成物。
【請求項１１】
ＭｇＯの含有量は重量比率で８．１−１２％であることを特徴とする請求項１に記載の高性能ガラス繊維組成物。
【請求項１２】
更にＣｅＯ２を含有し、その含有量が重量比率で０−１％であることを特徴とする請求項１に記載の高性能ガラス繊維組成物。
【請求項１３】
請求項１〜１２のいずれかに記載のガラス繊維組成物を有することを特徴とするガラス繊維。
【請求項１４】
請求項１３に記載のガラス繊維を含むことを特徴とする複合材料。
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
式Ｉ：
【化１２】
2018517695.tif 000001
［式中、
Ｒ１は、水素又はＦであり；
ｎは、１又は２である］
で示される化合物又はその薬学的に許容し得る酸付加塩。
【請求項２】
以下である、請求項１に記載の式Ｉで示される化合物：
（１Ｓ，５Ｒ）−２−メチル−４−（５−（フェニルエチニル）ピリジン−２−イル）−２，４−ジアザビシクロ［３．２．０］ヘプタン−３−オン
（１Ｒ，５Ｓ）−２−（５−（（４−フルオロフェニル）エチニル）ピリジン−２−イル）−４−メチル−２，４−ジアザビシクロ［３．２．０］ヘプタン−３−オン
（１Ｒ，５Ｓ）−２−（５−（（３−フルオロフェニル）エチニル）ピリジン−２−イル）−４−メチル−２，４−ジアザビシクロ［３．２．０］ヘプタン−３−オン、又は
（１Ｒ，５Ｓ）−２−（５−（（２，５−ジフルオロフェニル）エチニル）ピリジン−２−イル）−４−メチル−２，４−ジアザビシクロ［３．２．０］ヘプタン−３−オン。
【請求項３】
以下である、化合物：
（−）−（１Ｒ，５Ｓ）−２−メチル−４−（５−（フェニルエチニル）ピリジン−２−イル）−２，４−ジアザビシクロ［３．２．０］ヘプタン−３−オン
（＋）−（１Ｓ，５Ｒ）−２−［５−（３−フルオロ−フェニルエチニル）−ピリジン−２−イル］−４−メチル−２，４−ジアザビシクロ［３．２．０］ヘプタン−３−オン
（＋）−（１Ｓ，５Ｒ）−２−［５−（４−フルオロ−フェニルエチニル）−ピリジン−２−イル］−４−メチル−２，４−ジアザビシクロ［３．２．０］ヘプタン−３−オン、又は
（＋）−（１Ｓ，５Ｒ）−２−［５−（２，５−ジフルオロ−フェニル−エチニル）−ピリジン−２−イル］−４−メチル−２，４−ジアザビシクロ［３．２．０］ヘプタン−３−オン。
【請求項４】
治療活性物質としての使用のための、請求項１〜３のいずれか一項に記載の化合物。
【請求項５】
請求項１〜３のいずれか一項に記載の式Ｉで示される化合物の調製プロセスであって、以下の変法：
式ＩＩ：
【化１３】
2018517695.tif 000002
［式中、Ｘは、臭素又はヨウ素から選択されるハロゲン原子である］
で示される化合物を、式ＩＩＩ：
【化１４】
2018517695.tif 000003
で示される好適なアリール−アセチレンと反応させて、式Ｉ：
【化１５】
2018517695.tif 000004
［式中、置換基Ｒ１は、上記である］
で示される化合物を式Ｉに描写される通りの絶対立体化学を有するエナンチオピュアな形態で形成するか、又はラセミ形態のＩＩを使用して、続いてＩのキラル分離によって光学的に純粋なエナンチオマーを生成し；そして
所望であれば、得られた化合物を薬学的に許容し得る酸付加塩に変換することを含むプロセス。
【請求項６】
請求項１〜３のいずれか一項に記載の化合物と治療活性担体とを含む、医薬組成物。
【請求項７】
不安症及び疼痛、鬱病、パーキンソン病、並びに胃食道逆流疾患（ＧＥＲＤ）の処置のための、請求項１〜３のいずれか一項に記載の化合物の使用。
【請求項８】
不安症及び疼痛、鬱病、パーキンソン病、並びに胃食道逆流疾患（ＧＥＲＤ）の処置のための医薬の製造のための、請求項１〜３のいずれか一項に記載される通りの化合物の使用。
【請求項９】
不安症及び疼痛、鬱病、パーキンソン病、並びに胃食道逆流疾患（ＧＥＲＤ）の処置における使用のための、請求項１〜３のいずれか一項に記載の化合物。
【請求項１０】
不安症及び疼痛、鬱病、パーキンソン病、並びに胃食道逆流疾患（ＧＥＲＤ）の処置のための方法であって、有効量の請求項１〜３のいずれか一項に定義される通りの化合物を投与することを含む方法。